(57)【要約】【課題】簡易な構成であり、作業効率に優れた接地短絡器具を提供する。【解決手段】接地短絡器具１０は、第１アーム１、第２アーム２、操作ロッド３、及び接地ケーブル４を備える。第１アーム１及び第２アーム２は、電線９ｗをその両側から受け入れ可能に半円弧状に開口した第１電極１１及び第２電極２１を有する。操作ロッド３は、先端部が第１アーム１に固定され、先端部と所定の距離を設けて第２アーム２が回動自在及びスライド自在に連結している。接地ケーブル４は、第１電極１１及び第２電極２１と電気的に接続している。第１アーム１及び第２アーム２は、第１電極１１及び第２電極２１が電線９ｗを挟持するように、互いに吸着可能な第１マグネット１ｍ及び第２マグネット２ｍを有する。【選択図】図５
2013066361.tif 000002
【特許請求の範囲】
【請求項１】
電線をその一方の外周方向から受け入れ可能に半円弧状に開口し、当該電線の一方の半外周面に接触可能な第１電極を有する直方体状の第１アームと、
電線をその他方の外周方向から受け入れ可能に半円弧状に開口し、当該電線の他方の半外周面に接触可能な第２電極を有する直方体状の第２アームと、
前記第１電極と前記第２電極が対向するように、先端部が前記第１アームの一方の端部に固定され、先端部と所定の距離を設けて前記第２アームの一方の端部と回動自在及びスライド自在に連結する操作ロッドと、
前記第１電極及び前記第２電極と電気的に接続し、前記第２アームの一方の側面に固定された接続端子を一端部に有する接地ケーブルと、を備え、
前記第１アームは、一対の第１マグネットを前記第１電極の両翼に有し、
前記第２アームは、これらの第１マグネットに吸着可能な一対の第２マグネットを前記第２電極の両翼に有する接地短絡器具。
【請求項２】
前記第１アームは、帯板の端部がＵ字状に反転したラッチ板を他方の側面に備え、
前記第２アームは、前記ラッチ板に係止するように、鉤状に形成された係止部を先端部に設けた揺動自在なロックレバーを有するロック装置を他方の側面に備える請求項１記載の接地短絡器具。
【請求項３】
電線をその一方の外周方向から受け入れ可能に湾曲して開口し、当該電線の一方の半外周面に接触可能な第３電極を有する直方体状の第３アームと、
電線をその他方の外周方向から受け入れ可能に湾曲して開口し、当該電線の他方の半外周面に接触可能な第４電極を有する直方体状の第４アームと、
前記第３電極と前記第４電極が対向するように、先端部が前記第３アームの一方の先端部に固定され、先端部と所定の距離を設けて前記第４アームの一方の端部と回動自在及びスライド自在に連結する操作ロッドと、
前記第３電極及び前記第４電極と電気的に接続し、前記第４アームの一方の側面に固定された接続端子を一端部に有する接地ケーブルと、を備え、
前記第３アームは、
中央部に設けられ、前記第３電極を収容する第１凹部と、
前記第１凹部の内部に配置され、前記第３電極を進退自在に保持する第１伸縮部材と、
前記第３電極の両翼に配置された一対の第１マグネットと、を有し、
前記第４アームは、
中央部に設けられ、前記第４電極を収容する第２凹部と、
前記第２凹部の内部に配置され、前記第４電極を進退自在に保持する第２伸縮部材と、
前記第４電極の両翼に配置され、一対の前記第１マグネットに吸着可能な一対の第２マグネットと、を有する接地短絡器具。
【請求項４】
前記第１伸縮部材及び前記第２伸縮部材は、円筒の外周から内周に貫通する螺旋溝を形成した、導電性を有するヘリカルスプリングからなる請求項３記載の接地短絡器具。
【請求項５】
電線をその一方の外周方向から受け入れ可能に半円弧状に開口し、当該電線の一方の半外周面に接触可能な第１電極を有する直方体状の第１アームと、電線をその他方の外周方向から受け入れ可能に半円弧状に開口し、当該電線の他方の半外周面に接触可能な第２電極を有する直方体状の第２アームと、前記第１電極と前記第２電極が対向するように、先端部が前記第１アームの一方の端部に固定され、先端部と所定の距離を設けて前記第２アームの一方の端部と回動自在及びスライド自在に連結する操作ロッドと、前記第１電極及び前記第２電極と電気的に接続し、前記第２アームの一方の側面に固定された接続端子を一端部に有する接地ケーブルと、を備え、前記第１アームは、一対の第１マグネットを前記第１電極の両翼に有し、前記第２アームは、これらの第１マグネットに吸着可能な一対の第２マグネットを前記第２電極の両翼に有する接地短絡器具を用いた接地短絡方法であって、
前記第１アームと前記第２アームとをそれらの長手方向が所定の角度で交差するように配置すると共に、前記第１アームと前記第２アームを離隔させた状態で、前記電線の一方の半外周面を前記第１電極に接触させる第１ステップと、
前記第１電極と前記第２電極が対向するように、前記第１アームに対して前記第２アームを回転させる第２ステップと、
前記電線の他方の半外周面に前記第２電極が接触するように、前記第１アームに向かって前記第２アームをスライドさせる第３ステップと、を含んでいる接地短絡器具を用いた接地短絡方法。
【発明の詳細な説明】
【技術分野】
【０００１】
本発明は、接地短絡器具に関する。特に、停電作業時などにおいて、作業者の安全を確保するために、架空配電線を接地短絡する接地短絡器具の構造に関する。
【背景技術】
【０００２】
例えば、架空配電線を電気工事するときには、停電させた作業区間が通電しても、作業者の安全が確保できるように、架空配電線を接地短絡器具で把持し、接地短絡器具に接続された接地線を介して、架空配電線を地面に設けた接地導体アース又はアース側の接地端子に電気接続していた。
【０００３】
上述した接地短絡器具としては、絶縁被覆された架空配電線の芯線部分の損傷を最小限とし、簡易かつ確実に架空配電線と地面とを短絡できる接地短絡器具が開示されている（例えば、特許文献１参照）。
【０００４】
特許文献１による接地短絡器具は、絶縁被覆された電線の芯線部分に電気的に接続する電線接続部と一端が電線接続部に接続された接地線を備え、電線接続部は、電線の形状に対応した断面が半円形の第１電線受部及び第２電線受部を有し、第１電線受部と第２電線受部が電線を挟持した状態では、第１電線受部に設けた針電極の先端が電線の芯線部分に到達するように構成されている。
【０００５】
又、上述した接地短絡器具としては、丸形の断面や平形の断面を有する種々の形状の導体に共通して適用することができ、かつ、着脱式の絶縁操作棒により確実かつ強固に固定することが可能な短絡接地器具が開示されている（例えば、特許文献２参照）。
【０００６】
特許文献１による接地短絡器具は、角度が可変状態で固定できる頭部部材に固定アームを一体に形成すると共に、可動アームを頭部部材の回動可能に取り付けている。そして、可動アームの先端には接触部材を回動可能に設け、可動アームを操作ロッドにより押し上げ、固定アームと接触部材との間に導体を挟み込んで把持できる。
【先行技術文献】
【特許文献】
【０００７】
【特許文献１】特開２００９−２９０９８３号公報
【特許文献１】特開２００６−３４０４５６号公報
【発明の概要】
【発明が解決しようとする課題】
【０００８】
特許文献１による接地短絡器具は、第１電線受部がねじ送り機構により第２電線受部に向かって移動するように構成されている。このため、接地短絡器具を先端部に連結した絶縁操作棒側では、送りねじを多数回に亘り、回転する操作を必要とし、作業効率が良くないという問題がある。作業効率に優れた接地短絡器具が求められている。
【０００９】
特許文献２による接地短絡器具は、操作ロッドを押し上げるためのねじ機構を基端部に備え、曲がり管に内蔵された複数のボールを玉突き状態にして、操作ロッドが進退する運動を伝達していた。このため、接地短絡器具を先端部に連結した絶縁操作棒側では、送りねじを多数回に亘り、回転する操作を必要とし、作業効率が良くないという問題がある。又、特許文献２による接地短絡器具は、構成が複雑であるという問題もある。簡易な構成であり、作業効率に優れた接地短絡器具が求められている。そして、以上のことが本発明の課題といってよい。
【００１０】
本発明は、このような課題に鑑みてなされたものであり、架空配電線を接地短絡する接地短絡器具であって、簡易な構成であり、作業効率に優れた接地短絡器具を提供することを目的とする。
【課題を解決するための手段】
【００１１】
本発明者らは、電線に接触する半円形の第１電極を有する第１アームと、電線に接触する半円形の第２電極を有する第２アームと、第１アームに対して第２アームが対向するように、操作ロッドを相対的に９０度回転操作し、更に、第１アームに向かって第２アームをスライドすると、第１アームと第２アームを互いに吸着するマグネットを備えることにより、これらの課題が解決できると考え、これに基づいて、以下のような新たな接地短絡器具を発明するに至った。
【００１２】
（１）本発明による接地短絡器具は、電線をその一方の外周方向から受け入れ可能に半円弧状に開口し、当該電線の一方の半外周面に接触可能な第１電極を有する直方体状の第１アームと、電線をその他方の外周方向から受け入れ可能に半円弧状に開口し、当該電線の他方の半外周面に接触可能な第２電極を有する直方体状の第２アームと、前記第１電極と前記第２電極が対向するように、先端部が前記第１アームの一方の端部に固定され、先端部と所定の距離を設けて前記第２アームの一方の端部と回動自在及びスライド自在に連結する操作ロッドと、前記第１電極及び前記第２電極と電気的に接続し、前記第２アームの一方の側面に固定された接続端子を一端部に有する接地ケーブルと、を備え、前記第１アームは、一対の第１マグネットを前記第１電極の両翼に有し、前記第２アームは、これらの第１マグネットに吸着可能な一対の第２マグネットを前記第２電極の両翼に有する。
【００１３】
（２）前記第１アームは、帯板の端部がＵ字状に反転したラッチ板を他方の側面に備え、前記第２アームは、前記ラッチ板に係止するように、鉤状に形成された係止部を先端部に設けた揺動自在なロックレバーを有するロック装置を他方の側面に備えることが好ましい。
【００１４】
（３）本発明による接地短絡器具は、電線をその一方の外周方向から受け入れ可能に湾曲して開口し、当該電線の一方の半外周面に接触可能な第３電極を有する直方体状の第３アームと、電線をその他方の外周方向から受け入れ可能に湾曲して開口し、当該電線の他方の半外周面に接触可能な第４電極を有する直方体状の第４アームと、前記第３電極と前記第４電極が対向するように、先端部が前記第３アームの一方の先端部に固定され、先端部と所定の距離を設けて前記第４アームの一方の端部と回動自在及びスライド自在に連結する操作ロッドと、前記第３電極及び前記第４電極と電気的に接続し、前記第４アームの一方の側面に固定された接続端子を一端部に有する接地ケーブルと、を備え、前記第３アームは、中央部に設けられ、前記第３電極を収容する第１凹部と、前記第１凹部の内部に配置され、前記第３電極を進退自在に保持する第１伸縮部材と、前記第３電極の両翼に配置された一対の第１マグネットと、を有し、前記第４アームは、中央部に設けられ、前記第４電極を収容する第２凹部と、前記第２凹部の内部に配置され、前記第４電極を進退自在に保持する第２伸縮部材と、前記第４電極の両翼に配置され、一対の前記第１マグネットに吸着可能な一対の第２マグネットと、を有する。
【００１５】
（４）前記第１伸縮部材及び前記第２伸縮部材は、円筒の外周から内周に貫通する螺旋溝を形成した、導電性を有するヘリカルスプリングからなることが好ましい。
【００１６】
（５）本発明による接地短絡器具を用いた接地短絡方法は、電線をその一方の外周方向から受け入れ可能に半円弧状に開口し、当該電線の一方の半外周面に接触可能な第１電極を有する直方体状の第１アームと、電線をその他方の外周方向から受け入れ可能に半円弧状に開口し、当該電線の他方の半外周面に接触可能な第２電極を有する直方体状の第２アームと、前記第１電極と前記第２電極が対向するように、先端部が前記第１アームの一方の端部に固定され、先端部と所定の距離を設けて前記第２アームの一方の端部と回動自在及びスライド自在に連結する操作ロッドと、前記第１電極及び前記第２電極と電気的に接続し、前記第２アームの一方の側面に固定された接続端子を一端部に有する接地ケーブルと、を備え、前記第１アームは、一対の第１マグネットを前記第１電極の両翼に有し、前記第２アームは、これらの第１マグネットに吸着可能な一対の第２マグネットを前記第２電極の両翼に有する接地短絡器具を用いた接地短絡方法であって、前記第１アームと前記第２アームとをそれらの長手方向が所定の角度で交差するように配置すると共に、前記第１アームと前記第２アームを離隔させた状態で、前記電線の一方の半外周面を前記第１電極に接触させる第１ステップと、前記第１電極と前記第２電極が対向するように、前記第１アームに対して前記第２アームを回転させる第２ステップと、前記電線の他方の半外周面に前記第２電極が接触するように、前記第１アームに向かって前記第２アームをスライドさせる第３ステップと、を含んでいる。
【発明の効果】
【００１７】
本発明による接地短絡器具は、電線に接触する第１電極を有する第１アームと、電線に接触する第２電極を有する第２アームと、第１アームに対して第２アームが対向するように、操作ロッドを相対的に９０度回転操作し、更に、第１アームに向かって第２アームをスライドすると、第１アームと第２アームを互いに吸着するマグネットを備えている。本発明による接地短絡器具は、構成が簡易であり、操作も簡単で作業効率に優れている。更に、本発明による接地短絡器具は、マグネットの吸着力を利用して、電線の保持機能を高めている。
【００１８】
又、本発明による接地短絡器具は、電線に接触する湾曲した第３電極を有する第３アームと、電線に接触する湾曲した第４電極を有する第４アームと、第３アームに対して第４アームが対向するように、操作ロッドを相対的に９０度回転操作し、更に、第３アームに向かって第４アームをスライドすると、第３アームと第４アームを互いに吸着するマグネットで構成している。そして、接地短絡器具を交換することなく、外径の異なる電線に対応できる。
【図面の簡単な説明】
【００１９】
【図１】本発明の第１実施形態による接地短絡器具の構成を示す斜視分解組立図である。
【図２】第１実施形態による接地短絡器具の構成を示す斜視図であり、図１と異なる方向から接地短絡器具を観ている。
【図３】第１実施形態による接地短絡器具の構成を示す平面図であり、第１アームと第２アームが略直交した状態図である。
【図４】第１実施形態による接地短絡器具の構成を示す正面図であり、第１アームと第２アームが略直交した状態図である。
【図５】第１実施形態による接地短絡器具の構成を示す正面図であり、第１アームと第２アームが電線を挟持した状態図である。
【図６】第１実施形態による接地短絡器具に備わるロック装置の変形例を示す概略図であり、図６（Ａ）は、第１アームと第２アームが閉じる前の状態図、図６（Ｂ）は、第１アームと第２アームが閉じてロックされた状態図、図６（Ｃ）は、第１アームの第２アームのロックが解除される状態図である。なお、図６の右側は、第１実施形態による接地短絡器具の正面図、図６の左側は、第１実施形態による接地短絡器具の左側面図である。
【図７】第１実施形態による接地短絡器具を先端部に備える絶縁操作棒の正面図である。
【図８】第１実施形態による接地短絡器具を先端部に備える絶縁操作棒の要部を拡大した縦断面図である。
【図９】第１実施形態による接地短絡器具に備わるロック装置を解除するための工具の図であり、図９（Ａ）は、前記工具の基端部に設けた菊座の左側面図、図９（Ｂ）は、前記工具の正面図である。
【図１０】第１実施形態による接地短絡器具の操作手順を示す概略図であり、図１０（Ａ）は、電線の上方に第１アームを配置した状態図、図１０（Ｂ）は、電線に第１アームを係止した状態図、図１０（Ｃ）は、第２アームを回転した状態図、図１０（Ｄ）は、第１アームに向かって第２アームをスライドした状態図、図１０（Ｅ）は、第１アームと第２アームで電線を挟持した状態図である。
【図１１】本発明の第２実施形態による接地短絡器具の構成を示す斜視分解組立図である。
【図１２】第２実施形態による接地短絡器具の構成を示す斜視図であり、図１１と異なる方向から接地短絡器具を観ている。
【図１３】第２実施形態による接地短絡器具の構成を示す平面図であり、第３アームと第４アームが略直交した状態図である。
【図１４】第２実施形態による接地短絡器具の構成を示す正面図であり、第３アームと第４アームが略直交した状態図である。
【図１５】第２実施形態による接地短絡器具の構成を示す正面図であり、第３アームと第４アームが電線を挟持した状態図である。
【図１６】図１５の要部を拡大した正面図であり、図１６（Ａ）は、最大径の電線を挟持した状態図、図１６（Ｂ）は、中間径の電線を挟持した状態図、図１６（Ｃ）は、最小径の電線を挟持した状態図である。
【発明を実施するための形態】
【００２０】
以下、図面を参照して本発明を実施するための形態を説明する。
［第１実施形態］
［接地短絡器具の構成］
最初に、本発明の第１実施形態による接地短絡器具の構成を説明する。
【００２１】
図１は、本発明の第１実施形態による接地短絡器具の構成を示す斜視分解組立図である。図２は、第１実施形態による接地短絡器具の構成を示す斜視図であり、図１と異なる方向から接地短絡器具を観ている。
【００２２】
図３は、第１実施形態による接地短絡器具の構成を示す平面図であり、第１アームと第２アームが略直交した状態図である。図４は、第１実施形態による接地短絡器具の構成を示す正面図であり、第１アームと第２アームが略直交した状態図である。図５は、第１実施形態による接地短絡器具の構成を示す正面図であり、第１アームと第２アームが電線を挟持した状態図である。
【００２３】
（全体構成）
図１から図５を参照すると、本発明の第１実施形態による接地短絡器具１０は、絶縁性を有する直方体状の第１アーム１と絶縁性を有する直方体状の第２アーム２を備えている。又、接地短絡器具１０は、操作ロッド３と接地ケーブル４を備えている。第１アーム１は、電線９ｗの一方の半外周面に接触可能な導電性を有する第１電極１１を備えている。第２アーム２は、電線９ｗの他方の半外周面に接触可能な導電性を有する第２電極２１を備えている。
【００２４】
図４を参照すると、第１電極１１は、電極本体１１ｂとスタッドボルト１１ｓで構成している。電極本体１１ｂは、その一方の外面を半円弧状に開口しており、電線９ｗをその一方の外周方向から受け入れることができる。スタッドボルト１１ｓは、電極本体１１ｂの他方の外面の中央部に突合せ溶接されている。スタッドボルト１１ｓは、ナットで第１アーム１に締結されている。
【００２５】
同様に、図５を参照すると、第２電極２１は、電極本体２１ｂとスタッドボルト２１ｓで構成している。電極本体２１ｂは、その一方の外面を半円弧状に開口しており、電線９ｗをその他方の外周方向から受け入れることができる。スタッドボルト２１ｓは、電極本体２１ｂの他方の外面の中央部に突合せ溶接されている。スタッドボルト２１ｓは、ナットで第２アーム２に締結されている。なお、第１電極１１と第２電極２１は同じものであるが、説明の便宜上、順位数と符号を変えて区別した。
【００２６】
図１又は図３及び図４を参照すると、第１アーム１は、帯板状の第１導電バー１２を備えている。第１導電バー１２は、第１アーム１の内部に収容されている。そして、第１導電バー１２は、一端部がスタッドボルト１１ｓに着脱自在に固定され、他端部が操作ロッド３の先端部に着脱自在に固定されている。これにより、第１電極１１と操作ロッド３とを電気的に接続できる。又、第１導電バー１２に接触しないように、第１アーム１の上面は、絶縁性を有するカバー１３で覆われている。
【００２７】
図１又は図２及び図５を参照すると、第２アーム２は、第２導電バー２２を備えている。第２導電バー２２は、帯状に延びる一片２２ａと一片２２ａの基端部が直角に屈曲された他片２２ｂで構成している。第２導電バー２２の一片２２ａは、第２アーム２の内部に収容されている。第２導電バー２２の他片２２ｂは、第２アーム２の一方の側面に固定されている。なお、第２導電バー２２の一片２２ａに接触しないように、第２アーム２の下面は、絶縁性を有するカバー２３で覆われている。
【００２８】
図１又は図２及び図５を参照すると、第２導電バー２２は、一片２２ａの先端部がスタッドボルト２１ｓに着脱自在に固定されている。又、第２導電バー２２の他片２２ｂは、ねじ座２２ｃを介して、接地ケーブル４の一端部に設けた接続端子４ａが接続されている。これにより、第２電極２１と接地ケーブル４とを電気的に接続できる。
【００２９】
図１又は図２及び図５を参照すると、第２アーム２は、ブラシ電極５を更に備えている。ブラシ電極５は、その基端部が第２導電バー２２の他片２２ｂに固定されている。又、ブラシ電極５は、その先端部が二股に分岐した一対の板ばね片５ａ・５ａを有している。
【００３０】
図１又は図２及び図５を参照すると、ブラシ電極５は、一対の板ばね片５ａ・５ａが操作ロッド３の外周を挟持するように、摺動可能に連結している。これにより、操作ロッド３を介して、第１電極１１と接地ケーブル４とを電気的に接続できる。なお、接地ケーブル４の他端部は、地面に設けた接地導体アース（図示せず）又は、アース側の接地端子（図示せず）に電気接続している。
【００３１】
図１から図５を参照すると、操作ロッド３は、その先端部が第１アーム１の一方の端部に固定されている。又、操作ロッド３は、後述する絶縁操作棒９を構成する操作棒９１に内装されている（図６又は図７参照）。操作ロッド３は、操作棒９１とスライド可能に連結している。操作棒９１に対して操作ロッド３を進退すると、第２アーム２に対して第１アーム１を相対的に移動できる。
【００３２】
図１又は図２を参照すると、第１アーム１と第２アーム２は、第１電極１１と第２電極２１が対向するように配置することができる。そして、第１アーム１と第２アーム２を互いに近づけて、電線９ｗを挟持できる（図５参照）。
【００３３】
図３から図５を参照すると、第１アーム１は、一対の円柱状の第１マグネット１ｍ・１ｍを第１電極１１の両翼に配置している。これらの第１マグネット１ｍ・１ｍは、第１電極１１の両翼に穿設された穴に埋設され、接着剤で固定されている。
【００３４】
同様に、図１又は図２及び図５を参照すると、第２アーム２は、一対の円柱状の第２マグネット２ｍ・２ｍを第２電極２１の両翼に配置している。これらの第２マグネット２ｍ・２ｍは、第２電極２１の両翼に穿設された穴に埋設され、接着剤で固定されている。なお、第１マグネット１ｍと第２マグネット２ｍは同じものであるが、説明の便宜上、順位数と符号を変えて区別した。
【００３５】
図５を参照すると、第１マグネット１ｍは、その端面が第１アーム１の表面から僅かに突出するように配置されている。同様に、第２マグネット２ｍは、その端面が第２アーム２の表面から僅かに突出するように配置されている。第１マグネット１ｍと第２マグネット２ｍは、それらの対向する端面が極性を異ならせて配置している。したがって、図５に示されるように、第１アーム１と第２アーム２が電線９ｗを挟持しているときに、第１マグネット１ｍと第２マグネット２ｍが互いに吸着して、第１アーム１と第２アーム２の保持力を強化できる。
【００３６】
（ロック装置の構成）
次に、第１実施形態による接地短絡器具１０に備わるロック装置の構成を説明する。図１から図５を参照すると、第１アーム１は、ラッチ板６１を他方の側面に固定している。ラッチ板６１は、帯板の端部がＵ字状に反転している。
【００３７】
一方、図１又は図２、及び図４又は図５を参照すると、第２アーム２は、ロック装置６を他方の側面に備えている。ロック装置６は、ロックレバー６２を揺動可能に保持している。ロックレバー６２は、鉤状に形成された係止部６２ａを先端部に設けている。そして、係止部６２ａは、ラッチ板６１に係止できる。ラッチ板６１及びロック装置６は、市販品を利用できる。
【００３８】
図１又は図２、及び図４又は図５を参照すると、ロック装置６は、ロックレバー６２の中間部を揺動自在に支持する取り付け金具６３を備えている。取り付け金具６３は、第２アーム２の他方の側面に固定されている。又、ロック装置６は、支軸６４を備えている。支軸６４は、軸方向に移動しないように、その両端部が一対のＥリング６４ａ・６４ａで取り付け金具６３に係止されている。
【００３９】
図１又は図２、及び図４又は図５を参照すると、支軸６４は、ロックレバー６２の中間部に挿通されて、揺動自在に連結している。更に、ロック装置６は、ねじりコイルばね６５を備えている。ねじりコイルばね６５は、その巻回部が支軸６４を内装すると共に、ロックレバー６２の係止部６２ａがラッチ板６１に向かうように回転させる力を付勢している。
【００４０】
図１又は図２を参照して、第１アーム１に向かって第２アーム２を相対的に移動すると、ロックレバー６２の先端部の斜面とラッチ板６１の外面が互いにスライドして、ロックレバー６２の先端部が反時計方向に回動する（図５参照）。
【００４１】
図５を参照して、第１マグネット１ｍと第２マグネット２ｍが互いに吸着した状態では、ロックレバー６２の係止部６２ａがラッチ板６１の先端部を乗り越えて、ロックレバー６２の先端部が時計方向に回動する。そして、係止部６２ａがラッチ板６１に係止することができる。
【００４２】
図５を参照すると、ロックレバー６２は、係止部６２ａと反対方向に突出した解除片６２ｂを設けている。例えば、図９に示されるような、バインド打ち器と呼ばれるフック工具８を用いて、解除片６２ｂを下方に引けば、ロックレバー６２の先端部を反時計方向に回動することができ（図５参照）、ロックレバー６２のロック状態を解除できる。
【００４３】
（ロック装置の変形例）
次に、接地短絡器具１０に備わるロック装置の変形例を説明する。図６は、第１実施形態による接地短絡器具に備わるロック装置の変形例を示す概略図であり、図６（Ａ）は、第１アームと第２アームが閉じる前の状態図、図６（Ｂ）は、第１アームと第２アームが閉じてロックされた状態図、図６（Ｃ）は、第１アームの第２アームのロックが解除される状態図である。なお、図６の右側は、第１実施形態による接地短絡器具の正面図、図６の左側は、第１実施形態による接地短絡器具の左側面図である。
【００４４】
図６を参照すると、第１実施形態による接地短絡器具１０は、変形例によるロック装置７を備えている。ロック装置７は、ラッチレバー７１とロックレバー７２で構成している。第１アーム１は、ラッチレバー７１を内部に備えている（図６（Ａ）参照）。ラッチレバー７１は、第１アーム１の長手方向に移動できる。通常、ラッチレバー７１は、圧縮コイルばね７ｓで付勢されている。又、ラッチレバー７１は、一対の解除ピン７ｐ・７ｐを第１アーム１の両翼に突出している。
【００４５】
一方、図６（Ａ）を参照すると、第２アーム２は、第１アーム１に向かって、ロックレバー７２を突出している。ロックレバー７２の先端部は、鉤状に形成されている。図６（Ａ）に示された状態から、第１アーム１に向かって第２アーム２を相対的に移動すると、ロックレバー７２の先端部の斜面とラッチレバー７１の斜面が互いにスライドして、ロックできる（図６（Ｂ）参照）。
【００４６】
図６（Ｃ）を参照して、例えば、図９に示されるような、バインド打ち器と呼ばれるフック工具８を用いて、解除ピン７ｐを圧縮コイルばね７ｓが圧縮される方向に引けば、ラッチレバー７１をロックレバー７２から解除できる方向に移動することができ、ロックレバー７２のロック状態を解除できる。
【００４７】
（絶縁操作棒の構成）
次に、第１実施形態による接地短絡器具１０を先端部に備える絶縁操作棒の構成を説明する。図７は、第１実施形態による接地短絡器具を先端部に備える絶縁操作棒の正面図である。図８は、第１実施形態による接地短絡器具を先端部に備える絶縁操作棒の要部を拡大した縦断面図である。
【００４８】
図７を参照すると、第１実施形態による絶縁操作棒（いわゆる、ホットスティック）９は、長尺の操作棒９１を備えている。操作棒９１は、絶縁性を有するパイプ部材からなり、先端部に接地短絡器具１０を取り付けている。又、操作棒９１は、基端部側に手許操作部９３を設けている（図８参照）。
【００４９】
図８を参照すると、操作棒９１は、その軸方向に沿って、ロッド９２を内部に配置している。ロッド９２の一端部は、電気的に絶縁されて操作ロッド３に連結している（図２又は図５参照）。又、ロッド９２の他端部は、手許操作部９３に固定されている。そして、手許操作部９３を操作すると、第２アーム２に対して第１アーム１を相対的に回動又はスライドできる（図１から図５参照）。
【００５０】
図８を参照すると、操作棒９１は、圧縮コイルばね３ａを内部に配置している。圧縮コイルばね３ａは、操作ロッド３に外装されると共に、第２アーム２に対して第１アーム１を相対的に近づける力を付勢している（図１から図５参照）。つまり、通常、第２アーム２に対して、第１アーム１は閉じた状態になっている（図５又は、図１０（Ａ）参照）。
【００５１】
図８を参照して、圧縮コイルばね３ａの付勢力に抗して、手許操作部９３を操作棒９１に向かって移動すると、第２アーム２に対して第１アーム１を相対的に離反できる。そして、電線９ｗを第１アーム１に誘導することができる（図４参照）。
【００５２】
（フック工具の構成）
次に、フック工具の構成を説明する。図９は、第１実施形態による接地短絡器具に備わるロック装置を解除するための工具の図であり、図９（Ａ）は、前記工具の基端部に設けた菊座の左側面図、図９（Ｂ）は、前記工具の正面図である。
【００５３】
図９を参照すると、フック工具８は、Ｕ字状に屈曲したフック部８ａを先端部側に有し、菊座部８ｂを基端部側に有している。例えば、フック工具８は、菊座部８ｂが締結可能な菊座アダプタを先端部に備える絶縁操作棒（図示せず）に固定される。そして、フック工具８が固定された絶縁操作棒を用いて、図５に示したような、ロックレバー６２のロック状態を解除できる。
【００５４】
［接地短絡器具の作用］
次に、第１実施形態による接地短絡器具１０を用いた接地短絡方法を説明しながら、接地短絡器具１０の作用及び効果を説明する。
【００５５】
図１０は、第１実施形態による接地短絡器具の操作手順を示す概略図であり、図１０（Ａ）は、電線の上方に第１アームを配置した状態図、図１０（Ｂ）は、電線に第１アームを係止した状態図、図１０（Ｃ）は、第２アームを回転した状態図、図１０（Ｄ）は、第１アームに向かって第２アームをスライドした状態図、図１０（Ｅ）は、第１アームと第２アームで電線を挟持した状態図である。
【００５６】
最初に、図１０（Ａ）を参照して、第１アーム１と第２アーム２とが異なる方向を向くような状態で、接地短絡器具１０を電線９ｗの上方に配置する。図１０（Ａ）に示された状態では、第１アーム１と第２アーム２のそれらの長手方向が相反する向きに向かっているが、第１アーム１と第２アーム２のそれらの長手方向が略直交するように配置しておくと（図３又は図４参照）、接地ケーブル４が電線９ｗに接触する心配がないので、好ましい。
【００５７】
次に、図１０（Ｂ）に示されるように、第１アーム１を電線９ｗに係止すると共に、手許操作部９３を操作して（図７又は図８参照）、第２アーム２に対して第１アーム１が離れる方向に移動しておく。次に、図１０（Ｃ）に示されるように、手許操作部９３を操作して（図７又は図８参照）、第１アーム１と第２アーム２を対向させる（図１又は図２参照）。
【００５８】
次に、図１０（Ｄ）に示されるように、手許操作部９３を操作して（図７又は図８参照）、第１アーム１に向かって第２アーム２をスライドさせる。これにより、図１０（Ｅ）に示されるように、第１電極１１及び第２電極２１（図５参照）が電線９ｗを挟持して接地短絡させる、一連の作業を終了できる。
【００５９】
第１実施形態による接地短絡器具１０は、電線９ｗに接触する第１電極１１を有する第１アーム１と、電線９ｗに接触する第２電極２１を有する第２アーム２と、第１アーム１に対して第２アーム２が対向するように、操作ロッド３を相対的に９０度回転操作し、更に、第１アーム１に向かって第２アーム２をスライドすると、第１アーム１と第２アーム２を互いに吸着する第１マグネット１ｍ及び第２マグネット２ｍを備えている。
【００６０】
第１実施形態による接地短絡器具１０は、構成が簡易であり、操作も簡単で作業効率に優れている。更に、第１実施形態による接地短絡器具１０は、マグネットの吸着力を利用して、電線９ｗの保持機能を高めている。第１実施形態による接地短絡器具１０を使用すれば、作業労力が軽減され、作業時間も短縮できる。
【００６１】
第１実施形態による接地短絡器具１０は、電線９ｗの外径に対応して、本体の構成を換えることなく、開口の内径が異なる第１電極１１及び第２電極２１のみを交換でき、汎用性に優れている。
【００６２】
第１実施形態による接地短絡器具１０を作動させる絶縁操作棒は、図６及び図７に開示された、いわゆる、一軸型絶縁操作棒に限定されない。第１実施形態による接地短絡器具１０を作動させる絶縁操作棒は、種々の変形例が可能である。第１実施形態による接地短絡器具１０に備わるロック装置は、図１から図５に示された第１実施形態に限定されない。第１実施形態による接地短絡器具１０に備わるロック装置は、図６に示された変形例であってもよい。
【００６３】
［第２実施形態］
［接地短絡器具の構成］
次に、本発明の第２実施形態による接地短絡器具の構成を説明する。
【００６４】
図１１は、本発明の第２実施形態による接地短絡器具の構成を示す斜視分解組立図である。図１２は、第２実施形態による接地短絡器具の構成を示す斜視図であり、図１１と異なる方向から接地短絡器具を観ている。
【００６５】
図１３は、第２実施形態による接地短絡器具の構成を示す平面図であり、第３アームと第４アームが略直交した状態図である。図１４は、第２実施形態による接地短絡器具の構成を示す正面図であり、第３アームと第４アームが略直交した状態図である。図５は第２実施形態による接地短絡器具の構成を示す正面図であり、第３アームと第４アームが電線を挟持した状態図である。なお、第１実施形態で使用した符号と同一の符号を有する構成品は、その作用を同一とするので、以下、説明を割愛する場合がある。
【００６６】
（全体構成）
図１１から図１５を参照すると、本発明の第２実施形態による接地短絡器具２０は、絶縁性を有する直方体状の第３アーム３０と絶縁性を有する直方体状の第４アーム４０を備えている。又、接地短絡器具２０は、操作ロッド３と接地ケーブル４を備えている。第３アーム３０は、電線９ｗの一方の半外周面に接触可能な導電性を有する第３電極３１を備えている。第４アーム４０は、電線９ｗの他方の半外周面に接触可能な導電性を有する第４電極４１を備えている。
【００６７】
図１４を参照すると、第４電極４１は、その一方の外面を湾曲して開口しており、電線９ｗ（図１６参照）をその一方の外周方向から受け入れることができる。同様に、図１５を参照すると、第４電極４１は、その一方の外面を湾曲して開口しており、電線９ｗ（図１６参照）をその他方の外周方向から受け入れることができる。なお、第３電極３１と第４電極４１は同じものであるが、説明の便宜上、順位数と符号を変えて区別した。
【００６８】
図１４を参照すると、第３電極３１には、第１伸縮部材となる導電性を有するヘリカルスプリング３２が固定されている。ヘリカルスプリング３２の一端部は、溶接などの結合手段で第３電極３１の他方の外面の中央部に結合されている。つまり、第３電極３１とヘリカルスプリング３２は、一体に構成されている。又、ヘリカルスプリング３２の他端部には、雄ねじ部３２ｓを設けている。
【００６９】
同様に、図１５又は図１６（Ｃ）を参照すると、第４電極４１には、第２伸縮部材となる導電性を有するヘリカルスプリング４２が固定されている。ヘリカルスプリング４２の一端部は、溶接などの結合手段で第４電極４１の他方の外面の中央部に結合されている。つまり、第４電極４１とヘリカルスプリング４２は、一体に構成されている。又、ヘリカルスプリング４２の他端部には、雄ねじ部４２ｓを設けている。なお、ヘリカルスプリング３２とヘリカルスプリング４２は同じものであるが、説明の便宜上、符号を変えて区別した。
【００７０】
図１１又は図１３及び図１４を参照すると、第３アーム３０は、帯板状の第３導電バー１２３を備えている。第３導電バー１２３は、第３アーム３０の内部に収容されている。そして、第３導電バー１２３は、一端部が雄ねじ部３２ｓに着脱自在に固定され、他端部が操作ロッド３の先端部に着脱自在に固定されている。これにより、第３電極３１と操作ロッド３とを電気的に接続できる。又、第３導電バー１２３に接触しないように、第３アーム３０の上面は、絶縁性を有するカバー１３で覆われている。
【００７１】
図１１又は図１２及び図１５を参照すると、第４アーム４０は、第４導電バー２２４を備えている。第４導電バー２２４は、帯状に延びる一片２４ａと一片２４ａの基端部が直角に屈曲された他片２４ｂで構成している。第４導電バー２２４の一片２４ａは、第４アーム４０の内部に収容されている。第４導電バー２２４の他片２４ｂは、第４アーム４０の一方の側面に固定されている。なお、第４導電バー２２４の一片２４ａに接触しないように、第４アーム４０の下面は、絶縁性を有するカバー２３で覆われている。
【００７２】
図１１又は図１２及び図１５を参照すると、第４導電バー２２４は、一片２４ａの先端部側が雄ねじ部４２ｓに着脱自在に固定されている。又、第４導電バー２２４の他片２４ｂは、ねじ座２４ｃを介して、接地ケーブル４の一端部に設けた接続端子４ａが接続されている。これにより、第４電極４１と接地ケーブル４とを電気的に接続できる。
【００７３】
図１４を参照すると、第３アーム３０は、第３電極３１を収容する第１凹部３１ｈを中央部に設けている。第３電極３１の凸面側には、絶縁部材３１ｃを接着など手段で接合している。ヘリカルスプリング３２は、第１凹部３１ｈの中央部に位置するように配置されている。
【００７４】
一方、図１５を参照すると、第４アーム４０は、第４電極４１を収容する第２凹部４１ｈを中央部に設けている。第４電極４１の凸面側には、絶縁部材４１ｃを接着など手段で接合している。ヘリカルスプリング４２は、第２凹部４１ｈの中央部に位置するように配置されている。
【００７５】
図１４を参照すると、ヘリカルスプリング３２は、円筒の外周から内周に貫通する螺旋溝を形成している。ヘリカルスプリング３２は、その軸方向に圧縮荷重を加えると、縮まり、圧縮荷重を取り除くと、元の形に戻ることができる。そして、ヘリカルスプリング３２は、第３電極３１を進退自在に保持している。
【００７６】
図１５又は図１６（Ｃ）を参照すると、ヘリカルスプリング４２は、ヘリカルスプリング３２と同じものであり、第４電極４１を進退自在に保持している。実施形態によるヘリカルスプリング３２・４２は、自在継手などに使用されている「ヘリカルカップリング」を「圧縮コイルばね」として応用したものである。
【００７７】
図１１又は図１２及び図１５を参照すると、第４アーム４０は、ブラシ電極５を更に備えている。ブラシ電極５は、その基端部が第４導電バー２２４の他片２４ｂに固定されている。又、ブラシ電極５は、その先端部が二股に分岐した一対の板ばね片５ａ・５ａを有している。
【００７８】
図１１又は図１２及び図１５を参照すると、ブラシ電極５は、一対の板ばね片５ａ・５ａが操作ロッド３の外周を挟持するように、摺動可能に連結している。これにより、操作ロッド３を介して、第３電極３１と接地ケーブル４とを電気的に接続できる。なお、接地ケーブル４の他端部は、地面に設けた接地導体アース（図示せず）又は、アース側の接地端子（図示せず）に電気接続している。
【００７９】
図１１から図１５を参照すると、操作ロッド３は、その先端部が第３アーム３０の一方の端部に固定されている。又、操作ロッド３は、後述する絶縁操作棒９を構成する操作棒９１に内装されている（図６又は図７参照）。操作ロッド３は、操作棒９１とスライド可能に連結している。操作棒９１に対して操作ロッド３を進退すると、第２アーム２に対して第３アーム３０を相対的に移動できる。
【００８０】
図１１又は図１２及び図１５又は図１６を参照すると、第３アーム３０と第４アーム４０は、第３電極３１と第４電極４１が対向するように配置することができる。そして、第３アーム３０と第４アーム４０を互いに近づけて、電線９ｗを挟持できる（図１６参照）。
【００８１】
図１３から図１５を参照すると、第３アーム３０は、一対の円柱状の第１マグネット１ｍ・１ｍを第３電極３１の両翼に配置している。これらの第１マグネット１ｍ・１ｍは、第３電極３１の両翼に穿設された穴に埋設され、接着剤で固定されている。
【００８２】
同様に、図１１又は図１２及び図１５を参照すると、第４アーム４０は、一対の円柱状の第２マグネット２ｍ・２ｍを第４電極４１の両翼に配置している。これらの第２マグネット２ｍ・２ｍは、第４電極４１の両翼に穿設された穴に埋設され、接着剤で固定されている。なお、第１マグネット１ｍと第２マグネット２ｍは同じものであるが、説明の便宜上、順位数と符号を変えて区別した。
【００８３】
図１５を参照すると、第１マグネット１ｍは、その端面が第３アーム３０の表面から僅かに突出するように配置されている。同様に、第２マグネット２ｍは、その端面が第４アーム４０の表面から僅かに突出するように配置されている。第１マグネット１ｍと第２マグネット２ｍは、それらの対向する端面が極性を異ならせて配置している。したがって、図５に示されるように、第３アーム３０と第４アーム４０が電線９ｗを挟持しているときに、第１マグネット１ｍと第２マグネット２ｍが互いに吸着して、第３アーム３０と第４アーム４０の保持力を強化できる。
【００８４】
第２実施形態による接地短絡器具２０に備わるロック装置及び変形例の構成は、第１実施形態と同様であるので、説明を省略する。又、第２実施形態による接地短絡器具２０を先端部に備える絶縁操作棒の構成も第１実施形態と同様であるので、説明を省略する。更に、「フック工具の構成」及び「接地短絡器具の接地短絡方法」も第１実施形態と同様であるので、説明を省略する。
【００８５】
［接地短絡器具の作用］
次に、第２実施形態による接地短絡器具２０の作用及び効果を説明する。図１６は、図１５の要部を拡大した正面図であり、図１６（Ａ）は、最大径の電線を挟持した状態図、図１６（Ｂ）は、中間径の電線を挟持した状態図、図１６（Ｃ）は、最小径の電線を挟持した状態図である。
【００８６】
図１１から図１５を参照して、第２実施形態による接地短絡器具２０は、第１実施形態による接地短絡器具１０と同様の効果を奏する他に、図１６に示されるように、外径の異なる電線９ｗに対応できるという特別な効果を有する。
【００８７】
図１６（Ａ）を参照して、最大径の電線９ｗは、その直径Ｄ１が２３ｍｍである。図１６（Ｂ）を参照して、中間径の電線９ｗは、その直径Ｄ２が１４．７ｍｍである。図１６（Ｃ）を参照して、最小径の電線９ｗは、その直径Ｄ３が１０．３ｍｍである。そして、第３電極３１及び第４電極４１は、最大径の電線９ｗから最小径の電線９ｗに対応できるように、楕円の長円状に湾曲している。
【００８８】
図１６（Ａ）を参照して、一対の第３アーム３０及び第４アーム４０が最大径の電線９ｗを挟持したときは、一組のヘリカルスプリング３２・４２が最大に圧縮されている。図１６（Ａ）に示されるように、第３電極３１及び第４電極４１は、最大径の電線９ｗにその外周方向から接触できるように開口幅が設定されている。又、一対の第３アーム３０及び第４アーム４０が最大径の電線９ｗを挟持したときは、第３電極３１及び第４電極４１が最も後退して状態である。
【００８９】
図１６（Ｃ）を参照して、一対の第３アーム３０及び第４アーム４０が最小径の電線９ｗを挟持したときは、一組のヘリカルスプリング３２・４２が最小に圧縮されている。図１６（Ｃ）に示されるように、第３電極３１及び第４電極４１は、最小径の電線９ｗにその外周方向から接触できるように開口の深さが設定されている。又、一対の第３アーム３０及び第４アーム４０が最小径の電線９ｗを挟持したときは、第３電極３１及び第４電極４１が最小限に後退した状態である。
【００９０】
図１６（Ｂ）を参照して、一対の第３アーム３０及び第４アーム４０が中間径の電線９ｗを挟持したときは、一組のヘリカルスプリング３２・４２が最大の最小の間に圧縮されている。図１６に示されるように、第３電極３１及び第４電極４１は、最大径の電線９ｗから最小径の電線９ｗにその外周方向から接触できるように、開口幅及び開口の深さが設定されている。
【００９１】
このように、第２実施形態による接地短絡器具２０は、電線９ｗに接触する湾曲した第３電極３１を有する第３アーム３０と、電線９ｗに接触する湾曲した第４電極４１を有する第４アーム４０と、第３アーム３０に対して第４アーム４０が対向するように、操作ロッド３を相対的に９０度回転操作し、更に、第３アーム３０に向かって第４アーム４０をスライドすると、第３アーム３０と第４アーム４０を互いに吸着する第１マグネット１ｍ及び第２マグネット２ｍで構成している。そして、接地短絡器具２０を交換することなく、外径の異なる電線９ｗを挟持できる。
【符号の説明】
【００９２】
１  第１アーム
１ｍ  第１マグネット
２  第２アーム
２ｍ  第２マグネット
３  操作ロッド
４  接地ケーブル
４ａ  接続端子
９ｗ  電線
１０  接地短絡器具
１１  第１電極
２１  第２電極
【図１】
2013066361.tif 000003
【図２】
2013066361.tif 000004
【図３】
2013066361.tif 000005
【図４】
2013066361.tif 000006
【図５】
2013066361.tif 000007
【図６】
2013066361.tif 000008
【図７】
2013066361.tif 000009
【図８】
2013066361.tif 000010
【図９】
2013066361.tif 000011
【図１０】
2013066361.tif 000012
【図１１】
2013066361.tif 000013
【図１２】
2013066361.tif 000014
【図１３】
2013066361.tif 000015
【図１４】
2013066361.tif 000016
【図１５】
2013066361.tif 000017
【図１６】
2013066361.tif 000018